(57)【要約】【課題】通常の結束バンドに細い線状材をも同時に束ねることのできる機能を付与することのできるタグを提供する。【解決手段】タグ１１は、第一の板面を有する第一の板状部２１と、第二の板面を有する第二の板状部２２とを備え、第一の板面と第二の板面とが面接触しているタグ本体部２０を有し、タグ本体部２０は、バンド本体１０に取り付けられるバンド挿通孔部２５を備えており、さらに第一の板状部２１または第二の板状部２２のうち少なくとも一方は、弾性材料からなる。【選択図】図１
0003232098.tif 000002
【実用新案登録請求の範囲】
【請求項１】
結束バンドに取り付けられるものであり、所定の線状材を挟んで当該線状材を保持するタグであって、
タグ本体部を有し、
前記タグ本体部は、
前記結束バンドに取り付けられる取り付け手段と、
所定の第一の板面を有する第一の板状部と、
所定の第二の板面を有する第二の板状部と、
を備え、
前記第一の板面と前記第二の板面とが面接触した状態で前記第一の板状部と前記第二の板状部とが重ねられており、前記第一の板状部と前記第二の板状部との間に前記線状材が挟持可能になっており、前記第一の板状部および前記第二の板状部のうち少なくとも一方は、弾性材料からなる
ことを特徴とするタグ。
【請求項２】
所定の線状材を挟んで当該線状材を保持するタグ付き結束バンドであって、
結束バンドを構成するバンド本体と、
前記バンド本体に取り付けられたタグと、
を有し、
前記タグは、
タグ本体部を有し、
前記タグ本体部は、
前記結束バンドに取り付けられる取り付け手段と、
所定の第一の板面を有する第一の板状部と、
所定の第二の板面を有する第二の板状部と、
を備え、
前記第一の板面と前記第二の板面とが面接触した状態で前記第一の板状部と前記第二の板状部とが重ねられており、前記第一の板状部と前記第二の板状部との間に前記線状材が挟持可能になっていると共に、前記第一の板状部および前記第二の板状部のうち少なくとも一方は、弾性材料からなる
ことを特徴とするタグ付き結束バンド。
【考案の詳細な説明】
【技術分野】
【０００１】
本考案は、結束バンドに取り付けられて所定の線状材を挟みこんで保持することのできるタグ、及び当該タグを備えたタグ付き結束バンドに関する。
【背景技術】
【０００２】
従来、長尺状のものを複数束ねるために、種々の結束バンドが知られている。例えば特許文献１に開示されているような、バンド本体に球体部が形成されたものは、結束及びその解除が行なえて何度でも使えるため、物品を運搬する際にはよく用いられている。
【先行技術文献】
【特許文献】
【０００３】
【特許文献１】特開２００５−２０６２２６号公報
【考案の概要】
【考案が解決しようとする課題】
【０００４】
しかしながら、従来の結束バンドにおいては、バンド本体を環状に変形させて環内部に物品を束ねて拘束する構造のため、例えば釣り竿に加えて釣り糸のような非常に細い線状材をも同時に束ねることは困難であった。ここで、このような従来構成が使用に適さない主な理由としては、釣り糸は細すぎて束ねられた釣り竿の隙間に入り込むため、従来の結束バンドでは適正に挟み込めないことが挙げられる。
【０００５】
本考案は、細径の線状材を適切に保持することができるタグを提供することを目的とする。
【０００６】
また本考案は、細径の線状材を適切に保持することができるタグを備えたタグ付き結束バンドを提供することを目的とする。
【課題を解決するための手段】
【０００７】
本考案は、結束バンドに取り付けられるものであり、所定の線状材を挟んで当該線状材を保持するタグであって、タグ本体部を有し、前記タグ本体部は、前記結束バンドに取り付けられる取り付け手段と、所定の第一の板面を有する第一の板状部と、所定の第二の板面を有する第二の板状部と、を備え、前記第一の板面と前記第二の板面とが面接触した状態で前記第一の板状部と前記第二の板状部とが重ねられており、前記第一の板状部と前記第二の板状部との間に前記線状材が挟持可能になっており、前記第一の板状部および前記第二の板状部のうち少なくとも一方は、弾性材料からなることを特徴とするタグである。
【０００８】
また本考案は、所定の線状材を挟んで当該線状材を保持するタグ付き結束バンドであって、結束バンドを構成するバンド本体と、前記バンド本体に取り付けられたタグと、を有し、前記タグは、タグ本体部を有し、前記タグ本体部は、前記結束バンドに取り付けられる取り付け手段と、所定の第一の板面を有する第一の板状部と、所定の第二の板面を有する第二の板状部と、を備え、前記第一の板面と前記第二の板面とが面接触した状態で前記第一の板状部と前記第二の板状部とが重ねられており、前記第一の板状部と前記第二の板状部との間に前記線状材が挟持可能になっていると共に、前記第一の板状部および前記第二の板状部のうち少なくとも一方は、弾性材料からなることを特徴とするタグ付き結束バンドである。
【０００９】
かかる構成にあっては、前記結束バンドによる物品の結束に加えて、面接触している前記第一の板面と前記第二の板面との間に前記線状材を挟みこんでこれを保持することができる。すなわち、前記第一の板状部または前記第二の板状部のうち少なくとも一方が弾性材料からなるため、線状材が仮に釣り糸のような極めて細い径のものであっても、当該板状部を弾性変形させて線状材を両板状部で挟み込むことができる。なお、線状材が挟み込まれた状態を解除するには、再度、前記板状部を弾性変形させて線状材を取り出せばよく、簡単に何度でも繰り返し使用できる。
【考案の効果】
【００１０】
本考案は、細径の線状材を適切に保持することができるという効果がある。
【図面の簡単な説明】
【００１１】
【図１】タグ付き結束バンドで釣り竿を結束し、かつ釣り糸を保持した状態を示す説明図である。
【図２】タグ付き結束バンドの斜視図である。
【図３】タグを示し、（ａ）は斜視図であり、（ｂ）は平面図であり、（ｃ）は正面図であり、（ｄ）は右側面図である。
【考案を実施するための形態】
【００１２】
以下に本考案を具体化した実施例を詳細に説明する。なお、本考案は、下記に示す実施例に限定されることはなく、適宜、設計変更が可能である。
【００１３】
図１に示すように、タグ付き結束バンド１は、紐状のバンド本体１０で釣り竿Ｒを束ね、さらにバンド本体１０に取り付けられたタグ本体部２０で釣り糸Ｙを挟み込んで保持することができるものである。以下、詳述する。
【００１４】
タグ付き結束バンド１は、図２に示すように、バンド本体１０と、バンド本体１０に取り付けられたタグ１１を備えている。
【００１５】
バンド本体１０は、例えばシリコン材料のような弾性材料からなるものが好適に採用でき、適宜、結束位置を変更できるものが望ましい。なお、バンド本体１０は、従来から知られている構成のものを適用することができ、詳細な説明は省略する。
【００１６】
タグ１１は、図３に示すように、１枚の弾性材料からなる板片を二つ折りにしたタグ本体部２０を備えている。そして、タグ本体部２０の先端部には、それぞれ平板形状を有した第一の板状部２１と第二の板状部２２とが設けられている。
【００１７】
一方、タグ本体部２０において折り返された基端部は、環状に成形されたバンド挿通孔部２５が形成されており、このバンド挿通孔部２５にバンド本体１０が挿通されている。なお、バンド挿通孔部２５により、本発明にかかる取り付け手段が構成される。
【００１８】
また、第一の板状部２１及び第二の板状部２２の基端部には、タグ本体部２０の形状を保持するためにリベット２７が取り付けられている。
【００１９】
これまでに述べた構成とすることにより、第一の板状部２１において第二の板状部２２に対向する第一の板面３１と、第二の板状部２２において第一の板面３１に対向する第二の板面３２とが互いに弾接して面接触した状態が維持される。
【００２０】
次に、使用形態について、図３に従って説明する。
ここで、釣り竿Ｒは、持ち運び等の利便性を図るべく、長手方向に連結自在となっているところ、例えば穂先となる第一竿部Ｒ１を第二竿部Ｒ２から取り外し、これら竿部Ｒ１，Ｒ２をバンド本体１０で結束する。
【００２１】
次に、釣り竿Ｒに取り付けられた釣り糸Ｙを、タグ１１における第一の板状部２１と第二の板状部２２とを弾接させて当該板状部２１，２２で挟み込む。これにより、分割した竿部Ｒ１，Ｒ２と釣り糸Ｙとを、単一のタグ付き結束バンド１でコンパクトに束ねることが可能となる。
【００２２】
また、このようなタグ１１を採用することにより、バンド本体１０では結束できない細い釣り糸Ｙのような線状材でも容易に保持することができる。
【００２３】
上記実施例において各部の寸法形状は適宜自由に選択可能である。
【００２４】
また、これまでの構成では、釣り竿Ｒと釣り糸Ｙとを結束する例を示したが、これに限定されることはなく、例えば釣り竿に取り付けられたリールにバンド本体１０を装着し、その上でリールに巻回された釣り糸Ｙをタグ１１で保持するような使い方をしても勿論よい。また、タグ１１で挟む対象は、釣り糸Ｙに限定されず、例えば釣り竿Ｒの穂先のような寸法の線状材であってもよい。
【００２５】
タグ１１の第一の板状部２１と第二の板状部２２は共に弾性材料で構成されていてもよいが、少なくとも一方が弾性材料であればよく、他方が他の性質の材料であってもよい。
【００２６】
また、板状部は２個（一対）である必要はなく、３個以上並べて配置されたものであってもよい。
【００２７】
また、第一の板面３１及び第二の板面３２は、平坦面で構成されることが望ましいが、例えば表面が歯状や波状に表面加工されていてもよい。
【符号の説明】
【００２８】
１            タグ付き結束バンド
１０          バンド本体
１１          タグ
２０          タグ本体部
２１          第一の板状部
２２          第二の板状部
２５          バンド挿通孔部
２７          リベット
３１          第一の板面
３２          第二の板面
Ｒ（Ｒ１，Ｒ２）  釣り竿
Ｙ            釣り糸（線状材）
【図１】
0003232098.tif 000003
【図２】
0003232098.tif 000004
【図３】
0003232098.tif 000005